(57)【要約】      （修正有）【課題】新聞の折込み広告などに使用される、取り扱いに優れた広告用袋を提供する。【解決手段】表面に広告が印刷される広告用袋１である。２枚の紙を重ねて縁部（２１，２２，５）を接着させることによってシート状に形成される袋体２と、袋体２の横断方向で前層と後層が接着されていない箇所に少なくとも形成されるミシン目３と、ミシン目３の下方側に袋体２の使用目的を印刷させる使用目的表示領域４２と、ミシン目３の上方側に形成されるシール部５とを備えている。【選択図】図１
0003185264.tif 000002
【実用新案登録請求の範囲】
【請求項１】
表面に広告が印刷される広告用袋であって、
２枚の紙を重ねる又は１枚の紙を折り重ねて縁部を接着させることによってシート状に形成される袋体と、
前記袋体の横断方向で前層と後層が接着されていない箇所に少なくとも形成される開口手段と、
前記開口手段の下方側に前記袋体の使用目的を印刷させる使用目的表示領域と、
前記開口手段の上方側に形成されるシール領域とを備えたことを特徴とする広告用袋。
【請求項２】
前記開口手段は、前記袋体を上下に切り離すミシン目であることを特徴とする請求項１に記載の広告用袋。
【請求項３】
前記開口手段は、前記袋体の前層のみを開口させるジッパー加工であることを特徴とする請求項１に記載の広告用袋。
【請求項４】
前記シール領域の台紙面に印刷が施されていることを特徴とする請求項１乃至３のいずれか一項に記載の広告用袋。
【考案の詳細な説明】
【技術分野】
【０００１】
本考案は、新聞の折込み広告などとして使用される広告用袋に関するものである。
【背景技術】
【０００２】
従来、動産や不動産の販売の宣伝活動用として、新聞の折込み広告が利用されている。特許文献１には、その折込み広告として、ポリエチレン製の袋の表面に広告を印刷したものが開示されている。
【先行技術文献】
【特許文献】
【０００３】
【特許文献１】実用新案登録第３１５８９２１号公報
【考案の概要】
【考案が解決しようとする課題】
【０００４】
しかしながら特許文献１に開示された新聞の折込み広告用の袋は、ポリエチレン製の袋であるため、重ねておくと静電気が発生して、新聞折込み用の機械によって自動的に新聞の間に挿入していくことができない。
【０００５】
このため、手作業で新聞に折り込んでいかなければならず、手間が掛かるので広告費用が嵩むことになる。また、紙資源として回収される新聞とは材質が異なるため、一纏めに処分することができず、分別の手間がかかる。
【０００６】
そこで、本考案は、取り扱いに優れた広告用袋を提供することを目的としている。
【課題を解決するための手段】
【０００７】
前記目的を達成するために、本考案の広告用袋は、表面に広告が印刷される広告用袋であって、２枚の紙を重ねる又は１枚の紙を折り重ねて縁部を接着させることによってシート状に形成される袋体と、前記袋体の横断方向で前層と後層が接着されていない箇所に少なくとも形成される開口手段と、前記開口手段の下方側に前記袋体の使用目的を印刷させる使用目的表示領域と、前記開口手段の上方側に形成されるシール領域とを備えたことを特徴とする。
【０００８】
ここで、前記開口手段は、前記袋体を上下に切り離すミシン目とすることができる。一方、前記開口手段は、前記袋体の前層のみを開口させるジッパー加工であってもよい。また、前記シール領域の台紙面に印刷が施された構成とすることもできる。
【考案の効果】
【０００９】
このように構成された本考案の広告用袋は、紙によってシート状に形成された袋体であって、袋として使用させるための開口手段を備えている。また、開口手段の上方には、シール領域が設けられている。
【００１０】
このように紙によってシート状に形成されていれば、通常の紙の広告と同じような厚さで静電気も発生しにくいので、新聞折込み用の機械によって効率的に新聞に折り込んでいくことができる。
【００１１】
また、袋として使用できるだけでなく、シールとして使用できる機能も兼ね備えている。さらに、使用目的表示領域に記載されているような使用に至らなかった場合でも、新聞と同じ紙資源として回収させることができる。このように本考案の広告用袋は、取り扱いに優れている。
【００１２】
また、開口手段がミシン目であれば、容易に加工することができる。一方、開口手段がジッパー加工であれば、シール領域が袋体から切り離されないため、一体として持ち歩くことができる。
【００１３】
さらに、シール領域の台紙面に文字情報や図を印刷することで、顧客に対して広告主からメッセージを送ったり、追加の広告を行ったりすることが可能になる。
【図面の簡単な説明】
【００１４】
【図１】本考案の実施の形態の広告用袋の構成を示すために一部を破断させた正面図である。
【図２】シール領域の構成を説明するための説明図である。
【図３】袋として使用する場合について説明する斜視図である。
【図４】実施例の広告用袋の構成を示した正面図である。
【図５】実施例の広告用袋の使用方法を説明する説明図である。
【考案を実施するための形態】
【００１５】
以下、本考案の実施の形態について図面を参照して説明する。図１は、本実施の形態の広告用袋１の構成を示した正面図である。また、図２，３は、広告用袋１の使用方法を説明するための説明図である。
【００１６】
この広告用袋１は、図１に示すように、長方形のシート状に形成される袋体２と、その袋体２の横断方向に形成される開口手段としてのミシン目３と、ミシン目３の下方側に袋体２の使用目的を印刷させる使用目的表示領域４２と、ミシン目３の上方側に形成されるシール領域としてのシール部５とを主に備えている。
【００１７】
このシート状の袋体２は、２枚の長方形の紙を重ねて縁部を接着させることによって形成される。詳細には、図１，３に示すように、前層２ａとなる長方形の紙と後層２ｂとなる長方形の紙を重ねて、左右両側の側縁を側縁のり代２１においてのり付けさせる。
【００１８】
また、前層２ａと後層２ｂの底縁では、底縁のり代２２においてのり付けさせる。さらに、前層２ａと後層２ｂの上縁では、後述するシール部５において接着させる。
【００１９】
一方、ミシン目３は、図１，３に示すように、広告用袋１のシール部５の下縁に沿って袋体２を横断するように設けられる。例えば広告用袋１の上縁から、全体の高さの１／６〜１／３程度、下方に下がった位置に設けられる。
【００２０】
このミシン目３は、図３に示すように、左右両側の側縁のり代２１，２１以外は前層２ａと後層２ｂとが接着されていない箇所に設けられる。ミシン目３は、前層２ａと後層２ｂの同じ投影位置に設けられており、ミシン目３で切り取ると袋の開口３０が形成されることになる。
【００２１】
ミシン目３より下方の袋体２の表面には、図１に示すように、広告領域４１と、使用目的表示領域４２とが形成される。この図１では、前層２ａの表面（広告用袋１の表）のみを示しているが、後層２ｂの表面（広告用袋１の裏）にも広告領域４１や使用目的表示領域４２を形成することができる。
【００２２】
この袋体２は、紙によって形成されているため、複数の色を使ったカラー印刷をすることが容易にできる。なお、ポリエチレン製の袋には、単色でしか印刷することができない。
【００２３】
広告領域４１には、様々な文字情報や図を印刷することができる。この図１では、「新生活応援フェア」が開催されるという情報と、開催日時や開催場所などの情報とが印刷されている。
【００２４】
一方、使用目的表示領域４２には、袋体２の使用目的を印刷させる。すなわち、ミシン目３で切り離すことによって開口３０が形成されて袋として使用できる状態になったときに、どのように使用するかが使用目的表示領域４２に記載される。
【００２５】
この図１では、「この袋いっぱいにお菓子入れ放題！」と、アンケートに答えると袋いっぱいにお菓子がもらえるという情報が印刷されている。また、「このチラシを当日、会場までご持参ください。」という注意書きも印刷されている。
【００２６】
さらに、図１には記載されていないが、袋体２の使用目的として、後述するシール部５の使用方法を記載することもできる。また、紙製品であることによる注意書きなどを記載してもよい。
【００２７】
続いて図２を参照しながらシール部５について説明する。このシール部５は、上述した紙製の前層２ａと後層２ｂとをシールとなるように接着させることによって形成される。
【００２８】
詳細には、図２の右側に示すように、後層２ｂが内面に滑面が形成される台紙面５２となり、前層２ａが裏面に接着面が形成されるシール５１となる。このシール部５の境界にはミシン目３が設けられており、ミシン目３によって切り離されるまではシール部５が袋体２の上縁を接着していることになる。
【００２９】
このシール部５のシール５１には、例えばシール５１の使用方法が印刷される。この図２では、シール５１を貼った対象商品を割引できる「割合」が印刷されている。
【００３０】
この他にもシール５１には、入場証として使用できる印字、動物やキャラクターの図柄など、シールとした場合に利用価値が高められる様々な文字情報や図を印刷することができる。
【００３１】
さらに、台紙面５２も紙であるため、様々な文字情報や図を印刷することができる。図２では、シール５１を剥がすと、台紙面５２に印刷された「いつもありがとうございます。」という顧客に対する広告主の感謝のメッセージが現れるようになっている。
【００３２】
また、台紙面５２には、追加の広告を印刷したり、その他の様々な情報を印刷したりすることもできる。
【００３３】
次に、本実施の形態の広告用袋１の製作方法及び使用方法について説明する。
【００３４】
まず、袋体２の前層２ａと後層２ｂとなる長方形の紙の表面に、広告領域４１又は使用目的表示領域４２となるような印刷を行う。ここで、使用目的表示領域４２については、後工程でミシン目３を設ける位置よりも下方側に印刷がされる。
【００３５】
また、この印刷と同時又は前後に、シール部５の印刷も行う。シール部５の印刷は、シール５１の表面の印刷については、前層２ａの広告領域４１又は使用目的表示領域４２と同じ面の印刷になるため、同時に行うことができる。
【００３６】
一方、台紙面５２の印刷については、後層２ｂの表面（広告用袋１の裏）とは反対側の面（袋の内面）のため、別に印刷がされる。なお、後層２ｂの内面が滑面となる紙を使用していれば、印刷後にそのまま台紙面５２とすることができる。
【００３７】
そして、後層２ｂの上に前層２ａを重ねて、側縁のり代２１，２１及び底縁のり代２２ののり付けを行う。また、シール部５の前層２ａの内面にはシール用の接着剤を塗布して、後層２ｂに圧着させる。さらに、シール５１の外周に沿って切り込みを入れる。
【００３８】
このようにしてシート状に形成された袋体２に対して、ミシン目３を設けることによって広告用袋１が製作される。そして、新聞の折込み広告にする場合は、新聞の販売所まで搬送される。
【００３９】
新聞の販売所では、新聞に折り込むための他のチラシなどの広告とともに広告用袋１を新聞折込み用の機械にセットし、それぞれの新聞に自動的に折り込ませていく。
【００４０】
配達された新聞に折り込まれていた広告用袋１は、その広告に関心を持った人の手元に残ることになる。なお、広告に関心がもたれなかった場合は、新聞紙と同様に紙資源としてそのまま回収されることになる。
【００４１】
広告領域４１に印刷された情報に関心を持った人は、顧客となってその広告領域４１の情報に示された場所に出かけていく。そこで、まず顧客は、図２に示すようにシール５１をシール部５から剥がし、所望する対象商品に貼り付ける。
【００４２】
シール５１を剥がした後の台紙面５２には、「いつもありがとうございます。」という広告主の感謝のメッセージや図、絵柄等が印刷されており、顧客はそのメッセージや図、絵柄等を受け取ることになる。
【００４３】
また、アンケートに回答した後には、図３に示すようにミシン目３を切り裂いてシール部５を袋体２から切り離し、上縁が開口３０となった袋の形態に切り替える。
【００４４】
そして、使用目的表示領域４２に記載された情報に従って、袋体２の開口３０からお菓子を入れ、袋体２をいっぱいにする。この袋体２は、お菓子を持ち帰る際の入れ物にもなる。
【００４５】
次に、本実施の形態の広告用袋１の作用について説明する。
【００４６】
このように構成された本実施の形態の広告用袋１は、紙によってシート状に形成された袋体２であって、袋として使用するための開口手段となるミシン目３を備えている。また、ミシン目３の上方には、シール部５が設けられている。
【００４７】
このように紙によってシート状に形成されていれば、通常の紙の広告と同じような厚さで静電気も発生しにくいので、紙広告と同様に新聞折込み用の機械によって効率的に新聞に折り込んでいくことができる。
【００４８】
このため、広告費用も手で折り込む場合に比べて安価なものにすることができる。また、通常の紙広告と同様の形態であれば、配布地域の制限や配布方法の制限も受けにくく、取り扱いに優れている。
【００４９】
さらに、使用目的表示領域４２に記載された方法で袋として使用できるだけでなく、シール５１として使用できる機能も兼ね備えている。また、シール部５の台紙面５２に文字情報や図を印刷することで、顧客に対して広告主から感謝の意などのメッセージを送ったり、追加の広告を行ったりすることが可能になる。
【００５０】
そして、残念ながら使用目的表示領域４２に記載されているような使用に至らなかった場合でも、新聞と同じ紙資源であるため、新聞を資源回収に出すときにまとめて回収させることができる。
【００５１】
また、開口手段がミシン目３であれば、通常の紙にミシン目を設ける場合と同じような方法によって、容易に加工することができる。
【実施例】
【００５２】
次に、前記実施の形態で説明した広告用袋１とは別の形態の広告用袋１Ａについて、図４，５を参照しながら説明する。なお、前記実施の形態で説明した内容と同一乃至均等な部分の説明については、同一用語や同一符号を付して説明する。
【００５３】
この実施例で説明する広告用袋１Ａは、前記実施の形態で説明した広告用袋１と開口手段が異なっている。すなわち、本実施例の広告用袋１Ａの開口手段は、ジッパー加工によるジッパー部３Ａとなっている。
【００５４】
このジッパー部３Ａは、図４に示すように、シール部５のすぐ下方の袋体２の袋になる箇所に設けられる。すなわち、このジッパー部３Ａが設けられる箇所は、図５に示すように、左右両側の側縁のり代２１，２１以外は前層２ａと後層２ｂとが接着されていない。
【００５５】
そしてジッパー部３Ａは、前層２ａの横断方向に平紐状にミシン目を設けることによって形成される。すなわち、ジッパー部３Ａは、袋体２の前層２ａのみを開口させるためのジッパー加工である。
【００５６】
このジッパー部３Ａは、図５に示すように例えば右端から捲り上げることによって、開口３０Ａを形成させることができる。すなわち、ジッパー部３Ａを前層２ａから切り離すと、後層２ｂが露出する開口３０Ａとなる。
【００５７】
この袋体２の横断方向に延びる開口３０Ａは、袋の内部に連通されており、この開口３０Ａからお菓子などを袋体２内に詰め込むことができる。
【００５８】
このように開口手段が、前層２ａのみに開口３０Ａを設けるジッパー部３Ａであれば、シール部５が袋体から２切り離されないため、一体として持ち歩くことができる。
【００５９】
このため、会場に着く前にジッパー部３Ａを切り離したとしても、シール部５を忘れずに持っていくことができる。また、シール部５が切り離されてしまうと、持ち運びが煩雑になったり、シール５１として使用した後にごみになったりする場合があるが、切り離されなければそのような問題が発生することがない。
【００６０】
なお、他の構成及び作用効果については、前記実施の形態と略同様であるので説明を省略する。
【００６１】
以上、図面を参照して、本考案の実施の形態を詳述してきたが、具体的な構成は、この実施の形態又は実施例に限らず、本考案の要旨を逸脱しない程度の設計的変更は、本考案に含まれる。
【００６２】
例えば、前記実施の形態及び実施例では、新聞の折込み広告として広告用袋１，１Ａを使用する場合について説明したが、これに限定されるものではない。例えば住戸の郵便受けに投函される広告であっても、街頭や店頭で配布される広告であっても、上述した広告用袋１，１Ａを使用することができる。
【００６３】
また、前記実施の形態及び実施例では、２枚の紙を重ねて広告用袋１，１Ａを形成する場合について説明したが、これに限定されるものではない。例えば、１枚の紙を底縁で折り返して袋体２に形成することもできる。この場合は、両側縁と上縁のみを接着させればよい。
【００６４】
さらに、前記実施の形態及び実施例では、開口手段（３，３Ａ）の下方側に広告領域４１を設けたが、これに限定されるものではなく、シール部５に広告となる文字情報や図を印刷することもできる。
【符号の説明】
【００６５】
１，１Ａ      広告用袋
２            袋体
２ａ          前層（紙）
２ｂ          後層（紙）
２１          側縁のり代（縁部）
２２          底縁のり代（縁部）
３            ミシン目（開口手段）
３０          開口
３Ａ          ジッパー部（開口手段）
３０Ａ        開口
４２          使用目的表示領域
５            シール部（シール領域）
５１          シール
５２          台紙面
【図１】
0003185264.tif 000003
【図２】
0003185264.tif 000004
【図３】
0003185264.tif 000005
【図４】
0003185264.tif 000006
【図５】
0003185264.tif 000007